(57)【要約】【課題】空調機の室内機を覆い隠す機能や居室部が狭くならないようにする機能を保持し、且つ冷暖房効果の立ち上りが遅くなったり、暖房時に足元まで温まり難くなったり、空調機への負荷が大きくなったりするのを回避できる室内空調構造を提供する。【解決手段】側壁部１２との接合角部分１４の天井部１３を上方に窪ませて、室内機１５の上部が納められた上部収容凹部１７が、開口縁部１７ａを室内機１５の正面部１５ａ及び側面部１５ｂから離間させて設けられており、室内機１５が取り付けられた側壁部１２の全幅から、上部収容凹部１７を下方から覆い隠した状態で天井部１３の途中まで延設して、天井部１３と平行に配置される送風板１６が、室内機１５の下面部１５ｃに近接する高さ位置に設けられている。上部収容凹部１７の開口縁部１７ａから張り出して、仕切り板１８が設けられており、送風板１６には、通風可能な目隠し板部１９が設けられている。【選択図】図２
2012137237.tif 000002
【特許請求の範囲】
【請求項１】
下部に冷風又は温風の吹出し口を、上部に戻り空気の吸込み口を備える空調機の室内機を、側壁部と天井部との接合角部分に取り付けて用いる室内空調構造において、
前記接合角部分には、前記天井部を上方に凹状に窪ませて、前記室内機の少なくとも上部が納められた上部収容凹部が、開口縁部を前記室内機の正面部及び少なくとも一方の側面部から離間させて設けられており、
前記室内機が取り付けられた前記側壁部を含む側壁面の全幅から、前記上部収容凹部を下方から覆い隠した状態で前記天井部の途中まで延設して、前記天井部と平行又は略平行に配置される送風板が、前記室内機の下面部に近接する高さ位置に設けられており、
前記上部収容凹部の前記室内機の正面部と対向する側の開口縁部から、該正面部に近接する位置まで該正面部を越えることなく張り出して、仕切り板が、前記天井部に沿って延設して設けられており、
前記室内機は、前記吹出し口を前記仕切り板よりも下方に配置して前記側壁部に取り付けられており、
前記送風板には、前記吹出し口の直下部分に、開閉可能な多数の通気開口を備える通風可能な目隠し板部が設けられている室内空調構造。
【請求項２】
前記室内機が取り付けられる前記側壁部は、側壁本体部との間にダクト状空間を保持して該側壁本体部と共に２重壁を構成する部分の側壁部となっており、該側壁部の下端部には、多数の通気開口を備える通風可能な空気取込み板部が設けられており、該空気取込み板部から取り込んだ空気を前記ダクト状空間を介して前記室内機の前記吸込み口が配置された前記上部収容凹部に送り込むようになっている請求項１記載の室内空調構造。
【請求項３】
前記天井部と前記送風板との間の間隔部分に、前記室内機の前記吹出し口から前記送風板に沿って送り出される冷風又は温風の方向をガイドする風向案内板が設けられている請求項１又は２記載の室内空調構造。
【発明の詳細な説明】
【技術分野】
【０００１】
本発明は、室内空調構造に関し、特に空調機の室内機を、側壁部と天井部との接合角部分に取り付けて用いる室内空調構造に関する。
【背景技術】
【０００２】
室内を冷暖房する方法として、冷風や温風を吹き出す機能を備える空調機（エアコン）を用いて室内の空調を行う方法が一般に採用されている。空調機による空調は、通常は室内機を室内の側壁部に取り付けた状態で行われるようになっており、このような壁掛けタイプの空調機による空調構造は、室内機が壁面から突出した状態で露出することになるので室内の美観を損い易い。このため、室内の美観を向上させること等を目的として、室内機を天井部や側壁部に内蔵するタイプの空調構造も採用されているが、室内機を天井部に内蔵するタイプでは、冷房時の上向き気流を作り難いので不快な気流感を発生しやすく、室内機を側壁部に内蔵するタイプでは、暖房時の下向き気流を作り難いので足元まで温めることが難しいといった弱点がある。
【０００３】
一方、空調機を用いて室内の空調を行う場合、冷風や温風による気流が発生することで居住者に不快感を与えることもあることから、輻射熱を利用することによって気流を抑制したり発生しないようにして、快適性を向上させた空調システムも開発されている（例えば、特許文献１参照）。特許文献１の空調システムでは、下方天井体及び上方天井体からなる二重天井を室内の天井部分に設けて、この二重天井の内部に空調機の室内機から冷風や温風を吹き出すことで二重天井を冷やしたり暖めたりして、下方天井体からの輻射熱によって室内の空調を行うようになっている。
【０００４】
また、特許文献１の空調システムでは、下方天井体を例えば和紙やポリエステルシート等の透湿性及び通気性を備える素材で形成することによって、室内機からの冷風や温風の一部を下方天井体を通過させて下方の居室部に流れ込ませることで、輻射熱による冷暖房に加えて、下方天井体を通過した弱い気流による冷暖房も行うことができるようになっている。さらに、特許文献１の空調システムでは、室内機が設置される側壁部と上方天井体との接合角部分に、上方天井体を上方に凹状に窪ませて収容凹部を形成し、この収容収容凹部に室内機の上部を納めることで、下方天井体を上方天井体になるべく近づけて配置できるようにして、居室部の空間が上下に狭くならないように工夫されている。
【先行技術文献】
【特許文献】
【０００５】
【特許文献１】特開２０１０−２２３４６０号公報
【発明の概要】
【発明が解決しようとする課題】
【０００６】
しかしながら、上記特許文献１の二重天井による空調システムでは、室内機から吹き出される冷風や温風によって下方天井体が十分に冷やされたり暖められるまでには、ある程度の時間を要するため、輻射熱による冷暖房効果の立ち上りが遅くなるといった弱点がある。また、暖房時には足元まで温まり難くなるといった弱点がある。さらに、室内機から吹き出される冷風や温風は、閉塞された二重天井の内部で循環することになるため、室内機に戻る空気が、暖房の場合には高めに、冷房の場合には低めになることによって、空調機への負荷が大きくなるといった弱点がある。
【０００７】
本発明は、特許文献１の空調システムによる、空調機の室内機を覆い隠す機能や居室部の空間が上下に狭くならないようにする機能を保持したまま、冷暖房効果の立ち上りが遅くなったり、暖房時に足元まで温まり難くなったり、空調機への負荷が大きくなったりするのを効果的に回避することのできる室内空調構造を提供することを目的とする。
【課題を解決するための手段】
【０００８】
本発明は、下部に冷風又は温風の吹出し口を、上部に戻り空気の吸込み口を備える空調機の室内機を、側壁部と天井部との接合角部分に取り付けて用いる室内空調構造において、前記接合角部分には、前記天井部を上方に凹状に窪ませて、前記室内機の少なくとも上部が納められた上部収容凹部が、開口縁部を前記室内機の正面部及び少なくとも一方の側面部から離間させて設けられており、前記室内機が取り付けられた前記側壁部を含む側壁面の全幅から、前記上部収容凹部を下方から覆い隠した状態で前記天井部の途中まで延設して、前記天井部と平行又は略平行に配置される送風板が、前記室内機の下面部に近接する高さ位置に設けられており、前記上部収容凹部の前記室内機の正面部と対向する側の開口縁部から、該正面部に近接する位置まで該正面部を越えることなく張り出して、仕切り板が、前記天井部に沿って延設して設けられており、前記室内機は、前記吹出し口を前記仕切り板よりも下方に配置して前記側壁部に取り付けられており、前記送風板には、前記吹出し口の直下部分に、開閉可能な多数の通気開口を備える通風可能な目隠し板部が設けられている室内空調構造を提供することにより、上記目的を達成したものである。
【０００９】
そして、本発明の室内空調構造は、前記室内機が取り付けられる前記側壁部が、側壁本体部との間にダクト状空間を保持して該側壁本体部と共に２重壁を構成する部分の側壁部となっており、該側壁部の下端部には、多数の通気開口を備える通風可能な空気取込み板部が設けられており、該空気取込み板部から取り込んだ空気を前記ダクト状空間を介して前記室内機の前記吸込み口が配置された前記上部収容凹部に送り込むようになっていることが好ましい。
【００１０】
また、本発明の室内空調構造は、前記天井部と前記送風板との間の間隔部分に、前記室内機の前記吹出し口から前記送風板に沿って送り出される冷風又は温風の方向をガイドする風向案内板が設けられていることが好ましい。
【発明の効果】
【００１１】
本発明の室内空調構造によれば、空調機の室内機を覆い隠す機能や居室部の空間が上下に狭くならないようにする機能を保持したまま、冷暖房効果の立ち上りが遅くなったり、暖房時に足元まで温まり難くなったり、空調機への負荷が大きくなったりするのを効果的に回避することができる。
【図面の簡単な説明】
【００１２】
【図１】本発明の好ましい一実施形態に係る室内空調構造を用いた居室部を室内側から見た斜視図である。
【図２】本発明の好ましい一実施形態に係る室内空調構造の構成を説明する、図１のＡ−Ａに沿った破断斜視図である。
【図３】上部収容凹部を説明する、図２のＢ−Ｂに沿った略示断面図である。
【図４】風向案内板を説明する、図２のＣ−Ｃに沿った略示断面図である。
【図５】本発明の好ましい他の実施形態に係る室内空調構造を用いた居室部を室内側から見た斜視図である。
【図６】本発明の好ましい他の実施形態に係る室内空調構造の構成を説明する、図４のＤ−Ｄに沿った断面図である。
【発明を実施するための形態】
【００１３】
本発明の好ましい一実施形態に係る室内空調構造１０は、図１及び図２に示すように、居室部１１として、例えば矩形平面形状の間取りを有する８畳程度の広さの洋室において、居室部１１の４方の側壁面のうち、一方の短辺部分の側壁面１１ａの一部を構成する側壁部１２と、天井部１３との接合角部分１４に、空調機（エアコン）の室内機１５を壁掛けタイプのものとして取り付けると共に、室内機１５を下方から覆い隠した状態で、送風板１６を、いわゆる折下天井として設けることによって構成される。本実施形態の室内空調構造１０は、送風板１６により室内機１５を下方から覆い隠して露出しないようにすることで、居室部１１の美観を向上させ、また天井部１３と共に２重天井を形成する送風板１６を、天井部１３にできるだけ近い位置に配設することで、送風板１６の下方に相当の高さの居住空間を確保して、居住者が送風板１６によって圧迫感を感じないようにすることができるようになっている。
【００１４】
また、本実施形態の室内空調構造１０は、送風板１６を介することによって、輻射熱による冷暖房効果を得ることが可能になっていると共に、空調機本来の送風による通常の使い方によって、冷暖房効果の立ち上りを早めたり、暖房時に足元まで温まり易くしたりする機能を備えている。さらに、本実施形態の室内空調構造１０は、室内機１５の吹出し口から吹き出された冷風や温風が、吹き出された直後にすぐに吸込み口に戻るような短絡路が形成される、いわゆるショートパスが発生するのを効果的に回避できる機能を備えると共に、室内機に戻る空気が、暖房の場合には高めに、冷房の場合には低めになることによって、空調機への負荷が大きくなるのを効果的に回避できる機能を備える。
【００１５】
そして、本実施形態の室内空調構造１０は、下部に冷風又は温風の吹出し口（図示せず。）を、上部に戻り空気の吸込み口（図示せず。）を備える空調機の室内機１５を、側壁部１２と天井部１３との接合角部分１４に取り付けて用いる空調構造において、図２に示すように、側壁部１２と天井部１３との接合角部分１４には、天井部１３を上方に凹状に窪ませて、室内機１５の少なくとも上部が納められた上部収容凹部１７が、開口縁部１７ａを室内機１５の正面部１５ａ及び少なくとも一方の側面部１５ｂから離間させて設けられており（図３参照）、図１にも示すように、矩形平面形状の間取りを備える居室部１１の、室内機１５が取り付けられた側壁部１２を含む一方の短辺部分の側壁面１１ａの全幅から、上部収容凹部１７を下方から覆い隠した状態で天井部１３の途中まで延設して、天井部１３と平行又は略平行に配置される送風板１６が、室内機１５の下面部１５ｃに近接する高さ位置に設けられている。
【００１６】
また、図３にも示すように、上部収容凹部１７の、室内機１５の正面部１５ａと対向する側の開口縁部１７ａから、正面部１５ａに近接する位置まで該正面部１５ａを越えることなく張り出して、仕切り板１８が、天井部１３の面方向に沿って延設して設けられており（図２参照）、室内機１５は、吹出し口を仕切り板１８よりも下方に配置して側壁部１２に取り付けられており、送風板１６には、図２及び図３に示すように、室内機１５の下部に設けられた吹出し口の直下部分に、開閉可能な多数の通気開口を備える、通風可能な目隠し板部１９が設けられている。
【００１７】
本実施形態では、側壁部１２と天井部１３との接合角部分１４に設けられた上部収容凹部１７は、居室部１１の一方の短辺部分の側壁面１１ａに沿って、天井部１３を上方に凹状に窪ませることにより、側壁面１１ａに沿った横幅が例えば１２００ｍｍ程度、側壁面１１ａと直角な方向の奥行が例えば８００ｍｍ程度大きさの、横長矩形の平断面形状を備える中空の凹部として形成されている。上部収容凹部１７は、室内機１５の吸込み口が設けられた上部を納めることが可能な高さ（深さ）として、天井部１３から例えば２００ｍｍ程度の高さで上方に窪んで形成されている。上部収容凹部１７は、天井部１３に使用しているものと同様の材質の、合板や石膏ボード等の板部材によって周囲を囲まれて、好ましくは気密に設けられている。上部収容凹部１７は、天井部１３と共に、背面側に断熱材を適宜敷き込んで構成されていることが好ましい。
【００１８】
室内機１５は、エアコンとして汎用されている公知の空調機を構成するものであり、下部に冷風又は温風の吹出し口を、上部に戻り空気の吸込み口を備えている。本実施形態では、室内機１５は、例えば横幅８００ｍｍ程度、奥行き３００ｍｍ程度、高さ３００ｍｍ程度の大きさの略直方体形状を備えている。室内機１５は、１５０ｍｍ程度の高さの上方部分を上部収容凹部１７に納めると共に、１５０ｍｍ程度の高さの下方部分を、上部収容凹部１７の下端開口面から下方に突出させた状態で、側壁部１２に支持させて壁掛け形式で取り付けられている。また室内機１５は、居室部１１の一方の短辺部分の側壁面１１ａと、一方の長辺部分の側壁面１１ｂとの角部分に近接するように取り付けられている（図３参照）。これによって、室内機１５の正面部１５ａと対向する部分の上部収容凹部１７の開口縁部１７ａは、当該正面部１５ａと例えば５００ｍｍ程度離間して配置されると共に、室内機１５の一方の側面部１５ｂと対向する部分の上部収容凹部１７の開口縁部１７ａは、当該側面部１５ｂと例えば４００ｍｍ程度離間して配置されることになる。
【００１９】
仕切り板１８は、天井部１３に使用しているものと同様の材質の、合板や石膏ボード等の板部材からなり、例えば天井部１３によって周縁部分を支持された状態で、天井部１３の面方向に沿って延設して、上部収容凹部１７の下端開口の側壁面１１ａと離れた側の部分を覆って設置される。仕切り板１８は、横幅が上部収容凹部１７の横幅と同様の例えば１２００ｍｍ程度、奥行きが５００ｍｍ程度の大きさの横長矩形の平断面形状を備えており、上部収容凹部１７の室内機１５の正面部１５ａと対向する側の開口縁部１７ａから、正面部１５ａに近接する位置まで張り出して設けられる。これによって、仕切り板１８は、室内機１５の側方部分においては正面部１５ａを越えることなく配置されて、室内機１５の一方の側面部１５ｂの側方部分には、相当の大きさの開口面積を有する通気空間２０が保持される。
【００２０】
室内機１５の正面部１５ａと対向する側の上部収容凹部１７の開口縁部１７ａから、正面部１５ａに近接する位置まで張り出して仕切り板１８が設けられていることにより、室内機１５の吹出し口から吹き出された冷風や温風が、吹き出された直後にすぐに吸込み口に戻るショートパスが発生するのを、仕切り板１８によって空気の流れを遮断することで効果的に回避することが可能になる。また、室内機１５の側面部１５ｂの側方部分に相当の大きさの開口面積を有する通気空間２０が保持されていることにより、室内機１５の吹出し口から吹き出された冷風や温風が、居室部１１を循環して温度が緩和された後に、天井部１３と送風板１６との間の間隔部分を通過して室内機１５に戻ろうとする際に、この通気空間２０を介して温度が緩和された空気を室内機１５の吸込み口にスムーズに流れ込ませることが可能になる。
【００２１】
送風板１６は、天井部１３に使用しているものと同様の材質の、合板や石膏ボード等の板部材からなるパネル部材として形成されており、例えば居室部１１の一方の短辺部分の側壁面１１ａ及び両側の長辺部分の側壁面１１ｂによって３方の周縁部分を支持されて、天井部１３との間に２００ｍｍ程度の間隔を保持すると共に、天井部１３と平行又は略平行に延設した状態で設置されている。送風板１６は、矩形平面形状を備えており、居室部１１の室内機１５が取り付けられた側壁部１２を含む一方の短辺部分の側壁面１１ａの全幅から、両側の長辺部分の側壁面１１ｂとの間に隙間を生じさせることなく、他方の短辺部分の側壁面１１ａに向けて、例えば１０００ｍｍ程度の奥行きで張り出した状態で設置されている。
【００２２】
これによって、送風板１６は、室内機１５及び上部収容凹部１７を下方から覆い隠すと共に、室内機１５の下面部１５ｃに近接する高さ位置として、室内機１５の下面部１５ｃから例えば５０ｍｍ程度の間隔を置いた高さ位置に配置されている。また送風板１６は、天井部１３の下方に配置された折下天井として機能して、居室部１１の意匠性を向上させている。送風板１６は、例えば室内機１５のメンテナンスを行い易いように、着脱可能に取り付けられていることが好ましい。送風板１６の室内機１５の直下部分には、室内機１５からの主として温風を送風板１６の下方の居室空間に直接送り出すための、通風可能な目隠し板部１９が設けられている。
【００２３】
目隠し板部１９は、開閉可能な多数の通気開口を備える構造として、例えば公知のガラリ構造を備えるものを採用することができる。ガラリ構造を備える目隠し板部１９は、回動可能な多数の羽板の間の各間隔部分を、羽板を回動させることで開放させたり閉塞させたりして、通風可能な状態と、通風を遮断する状態とを適宜切り替えることができるようになっている。目隠し板部１９は、パネル部材による送風板１６に嵌め込むように取り付けられて、送風板１６に一体固定される。目隠し板部１９は、送風板１６における、横幅が例えば８００ｍｍ程度、奥行きが３００ｍｍ程度の横長矩形の領域を占めるようように設けられており、また室内機１５の吹出し口と対向配置される直下部分として、好ましくは居室部１１の一方の短辺部分の側壁面１１ａから、当該側壁面１１ａ側の側縁部を例えば２００ｍｍ程度離間させ位置に配置されている。
【００２４】
そして、上述の構成を備える本実施形態の室内空調構造１０によれば、空調機の室内機１５を覆い隠す機能や居室部１１の空間が上下に狭くならないようにする機能を保持したまま、冷暖房効果の立ち上りが遅くなったり、暖房時に足元まで温まり難くなったり、空調機への負荷が大きくなったりするのを効果的に回避することが可能になる。
【００２５】
すなわち、本実施形態によれば、送風板１６によって、空調機の室内機１５を露出させることなく下方から覆い隠すことが可能になると共に、送風板１６を折下天井として設置することができるので、居室部１１の意匠性を効果的に向上させることが可能になる。また、室内機１５は、壁掛け形式で側壁部１２に取り付けられているが、その上部が上部収容凹部１７に納められた状態で設置され、吹出し口を備える室内機１５の下方部分のみが、天井部１３よりも下方に配置されるので、送風板１６を、天井部１３との間の間隔が室内機１５の高さの半分程度の小さな間隔となるようにして天井部１３の下方に配置することが可能になり、これによって送風板１６の下方に相当の高さの居住空間を確保することで居室部１１の空間が上下に狭くならないようにして、送風板１６が設けられた部分で居住者が送風板１６によって圧迫感を感じないようにすることが可能になる。
【００２６】
さらに、本実施形態によれば、例えば冷房時には、送風板１６の目隠し板部１９を閉塞した状態で、室内機１５の吹出し口から冷風を吹き出すことにより、吹き出された冷風を、送風板１６によって天井部１３に沿って流れるように案内しながら天井部１３と送風板１６との間隔部分を通過させ、さらに天井部１３の下面に沿って流れさせた後に、下方の居室部１１において循環させるようになっているので、居住者に冷風が直接吹きかかるのを回避しつつ、冷風の送風によって、冷房効果の立ち上りが遅くならないようにすることが可能になる。
【００２７】
さらにまた、吹出し口から吹き出された冷風が、天井部１３と送風板１６との間隔部分を通過することによって送風板１６が冷やされるので、送風板１６からの輻射冷熱による冷房効果を得ることが可能になると共に、送風板１６によって天井部１３の下面に沿うように送り出された冷風が、送風板１６よりも先の部分で天井部１３の下面に沿って流れて天井部１３を冷やすことになるので、冷やされた天井部１３の下面からの輻射冷熱による冷房効果も得ることが可能になる。
【００２８】
また、天井部１３の下面に沿って流れた冷風は、下方の居室部１１を循環することで温度が緩和されたり上昇してから、天井部１３と送風板１６との間の間隔部分を再び通過して室内機１５に戻されるので、室内機１５に戻される空気の温度が低めになって空調機への負荷が大きくなるのを効果的に回避することが可能になる。
【００２９】
一方、例えば暖房時には、送風板１６の目隠し板部１９を開放した状態で、室内機１５の吹出し口から温風を吹き出すことにより、吹き出された温風は、、室内機１５が取り付けられた側面部１５ｂに沿って下方に流れた後に、居室部１１において循環させるようになっているので、居住者に冷風が直接吹きかかるのを回避しつつ、温風の送風によって、暖房効果の立ち上りが遅くならないようにすることが可能になると共に、居住者の足元部分も迅速に且つ容易に温めることが可能になる。
【００３０】
また、目隠し板部１９の開放率を適宜調整したり、目隠し板部１９を適宜閉塞して、温風を送風板１６に沿って送り出すことにより、送風板１６の輻射温熱による暖房効果や、天井部１３の輻射温熱による暖房効果も得ることが可能になる。
【００３１】
さらに、室内機１５から吹き出された温風は、居室部１１を循環することで温度が緩和されたり下降してから、天井部１３と送風板１６との間の間隔部分を通過して室内機１５に戻されるので、室内機１５に戻される空気の温度が高めになって空調機への負荷が大きくなるのを効果的に回避することが可能になる。
【００３２】
したがって、本実施形態の室内空調構造１０によれば、壁掛タイプの空調機の室内機１５を、送風による通常の機能を損うことなく、且つ美観を損うことなく、送風板１６による折下天井に内蔵することが可能になると共に、輻射による冷暖房と対流による冷暖房を切換え自在な空調システムを実現することが可能になる。
【００３３】
また、本実施形態によれば、例えば送風板１６の裏側に照明器具を取り付けて天井部１３を照らすようにすることで、送風板１６による折下天井を間接照明を得るための構造部分として利用して、居室部１１の美観をさらに向上させることが可能になる。
【００３４】
さらに、本実施形態によれば、天井部１３と送風板１６との間の間隔部分に、図４に示すように、室内機１５の吹出し口から送風板１３に沿って送り出される冷風や温風の方向をガイドする風向案内板２１を、１箇所又は複数箇所に設けておくこともできる。風向案内板２１は、回動可能な構造を備えていて、ガイドする方向を適宜調整できるようになっていることが好ましい。風向案内板２１が設けられていることにより、室内機１５の吹出し口から吹き出される冷風や温風を、居室部１１の所定の領域に向けて送り出したり、居室部１１の全体に分散させて送り出したりすることが可能になる。
【００３５】
図５及び図６は、本発明の好ましい他の実施形態に係る室内空調構造５０を示すものである。本他の実施形態の室内空調構造５０では、上記実施形態の室内空調構造１０と略同様の構成を備えることに加えて、空調機の室内機１５’が取り付けられる側壁部１２’は、側壁本体部５１との間にダクト状空間５２を保持して側壁本体部５１と共に２重壁を構成する部分の側壁部となっており、側壁部１２’の下端部には、例えば公知のガラリ構造による、多数の通気開口を備える通風可能な空気取込み板部５３が設けられており、空気取込み板部５３から取り込んだ空気をダクト状空間５２を介して室内機１５’の吸込み口が配置された上部収容凹部１７’に送り込むようになっている。
【００３６】
本他の実施形態の室内空調構造５０によっても、上記実施形態の室内空調構造１０と同様の作用効果が奏される。また、本他の実施形態の室内空調構造５０によれば、側壁部１２’の背面側の側壁本体部５１との間に、上部収容凹部１７’に連通する、例えば１００〜２００ｍｍ程度の幅のダクト状空間５２が還流空間として設けられており、且つ側壁部１２’の下端部に空気取込み板部５３が設けられているので、室内機１５’の吹出し口から吹き出されて居室部１１を循環した後の空気を、空気取込み板部５３から引き込んで、ダクト状空間５２を介して室内機１５’の吸込み口が配設された上部収容凹部１７’に戻すことが可能になる。またこれによって、居室部１１を循環する暖気を、床面付近まで引っ張ることが可能になるので、足元までさらに効果的に暖めることが可能になる。側壁部１２’の背面側に設けられたダクト状空間５２は、引戸５４を出し入れ可能に収納するための戸袋として利用することができる。
【００３７】
なお、本発明は上記実施形態に限定されることなく種々の変更が可能である。例えば、室内機が取り付けられる側壁部は、居室部の側壁面の角部近傍部分の側壁部である必要は必ずしも無く、側壁面の中央部分の側壁部であっても良い。また、室内機は、上部収容凹部の片側に寄せて配置する必要は必ずしも無く、室内機を上部収容凹部の中央部分に配置して、室内機の両側の側面部の側方に、室内機に戻ろうとする空気の通気空間を各々設けることもできる。
【符号の説明】
【００３８】
１０，５０  室内空調構造
１１  居室部
１１ａ  居室部の短辺部分の側壁面
１１ｂ  居室部の長辺部分の側壁面
１２，１２’  側壁部
１３  天井部
１４  接合角部分
１５，１５’  空調機の室内機
１５ａ  室内機の正面部
１５ｂ  室内機の側面部
１５ａ  室内機の下面部
１６  送風板
１７，１７’  上部収容凹部
１７ａ  開口縁部
１８  仕切り板
１９  目隠し板部
２０  通気空間
２１  風向案内板
【図１】
2012137237.tif 000003
【図２】
2012137237.tif 000004
【図３】
2012137237.tif 000005
【図４】
2012137237.tif 000006
【図５】
2012137237.tif 000007
【図６】
2012137237.tif 000008